(57)【要約】【課題】  車輪速度センサの異常を検出する車輪速度センサ異常検出装置において、タイヤのガス圧の低下に起因して車輪速度センサの異常を誤検出することを抑制すること。【解決手段】  この装置は、検出されたそれぞれの車輪の車輪速度のうちの最小車輪速度と最小車輪速度を除いた残りの車輪速度のうちの最小値との差がしきい値よりも大きいとき、原則的に、最小車輪速度に対応する車輪の車輪速度センサの異常を検出する。一方、タイヤ空気圧が低下した車輪が存在し、且つ、現在走行している路面が低μ路面である場合、係る車輪速度センサの異常検出が禁止される。これにより、特に低μ路面においてタイヤ空気圧の低下により発生し得る空気圧低下車輪のロック傾向に起因して空気圧低下車輪の車輪速度センサの異常を誤検出することが確実に防止され得る。【選択図】  図２
2007064659.tif 000002
【特許請求の範囲】
【請求項１】
車輪の回転速度（Vwfr,Vwfl,Vwrr,Vwrl）を検出する車輪速度センサ（４１fr,４１fl,４１rr,４１rl）を備えた車両に適用され、
少なくとも前記車輪速度センサ（４１fr,４１fl,４１rr,４１rl）により検出された前記車輪の回転速度（Vwfr,Vwfl,Vwrr,Vwrl）に基づいて前記車輪速度センサの異常を検出する異常検出手段（５１，図３、図４のルーチン）を備えた車輪速度センサ異常検出装置であって、
前記車輪のタイヤのガス圧の低下を検出するガス圧低下検出手段（５１，２１０，５１０）と、
前記タイヤのガス圧の低下が検出されたとき、前記異常検出手段による前記車輪速度センサの異常検出に制限を加える制限手段（５１，図２のルーチン、４０５，４１０，図５のルーチン）と、
を更に備えた車輪速度センサ異常検出装置。
【請求項２】
請求項１に記載の車輪速度センサ異常検出装置であって、
前記車両が走行している路面が氷上路を含む所定の低摩擦係数を有する路面であるか否かを判定する路面判定手段（５１，２１５，５１５）と、
前記車両が走行している路面が前記所定の低摩擦係数を有する路面でないと判定されたとき、前記制限手段による前記車輪速度センサの異常検出の制限を解除する制限解除手段（５１，２２０，５２０）と、
を更に備えた車輪速度センサ異常検出装置。
【請求項３】
請求項１又は請求項２に記載の車輪速度センサ異常検出装置において、
前記制限手段は、
前記タイヤのガス圧の低下が検出されたとき、前記異常検出手段による前記車輪速度センサの異常検出を禁止するように（５１，図２のルーチン）構成された車輪速度センサ異常検出装置。
【請求項４】
請求項１又は請求項２に記載の車輪速度センサ異常検出装置において、
前記制限手段は、
前記タイヤのガス圧の低下の程度が大きいほど、前記異常検出手段による前記車輪速度センサの異常検出を制限する程度を大きくするように（５１，４０５，４１０，図５のルーチン）構成された車輪速度センサ異常検出装置。
【請求項５】
車輪の回転速度（Vwfr,Vwfl,Vwrr,Vwrl）を検出する車輪速度センサ（４１fr,４１fl,４１rr,４１rl）を備えた車両に適用される車輪速度センサ異常検出用プログラムであって、
少なくとも前記車輪速度センサ（４１fr,４１fl,４１rr,４１rl）により検出された前記車輪の回転速度（Vwfr,Vwfl,Vwrr,Vwrl）に基づいて前記車輪速度センサの異常を検出する異常検出ステップ（図３、図４のルーチン）と、
前記車輪のタイヤのガス圧の低下を検出するガス圧低下検出ステップ（２１０，５１０）と、
前記タイヤのガス圧の低下が検出されたとき、前記異常検出手段による前記車輪速度センサの異常検出に制限を加える制限ステップ（図２のルーチン、４０５，４１０，図５のルーチン）と、
を備えた車輪速度センサ異常検出用プログラム。
【発明の詳細な説明】
【技術分野】
【０００１】
本発明は、少なくとも車輪速度センサにより検出された車輪の回転速度（車輪速度）に基づいて車輪速度センサの異常を検出する車輪速度センサ異常検出装置に関する。
【背景技術】
【０００２】
従来より、この種の車輪速度センサ異常検出装置が知られている（例えば、下記特許文献１を参照）。この種の装置は、一般に、車輪速度センサに異常が発生すると車輪速度が小さめに検出される傾向があることを利用する。即ち、この種の装置は、各車輪にそれぞれ配設された車輪速度センサにより検出された車輪速度のうち特定の車輪の車輪速度が他の車輪の車輪速度に比して著しく小さい場合、特定の車輪の車輪速度センサの異常を検出するようになっている。
【特許文献１】特開２０００−３４４０８７号公報
【０００３】
ところで、タイヤのガス圧（通常は、空気圧）が低下すると、タイヤの接地面積が増大すること等に起因してタイヤの転がり抵抗が大きくなる。この結果、特に、氷上路等の低摩擦係数を有する路面を車両が走行している場合等、ガス圧が低下したタイヤに対応する車輪（以下、「ガス圧低下車輪」と称呼する。）にロック傾向が発生して、ガス圧低下車輪の実際の車輪速度が他の車輪の実際の車輪速度に比して小さくなる場合がある。
【０００４】
この場合、上述した車輪速度センサ異常検出装置においては、ガス圧低下車輪の車輪速度センサが正常であっても、ガス圧低下車輪の車輪速度センサの異常を誤検出してしまう場合があるという問題があった。
【発明の開示】
【０００５】
従って、本発明は、上記問題に対処するためになされたものであって、その目的は、車輪速度センサの異常を検出する車輪速度センサ異常検出装置において、タイヤのガス圧の低下に起因して車輪速度センサの異常を誤検出することを抑制し得るものを提供することにある。
【０００６】
本発明に係る車輪速度センサ異常検出装置は、車輪の回転速度を検出する車輪速度センサを備えた車両に適用され、少なくとも前記車輪速度センサにより検出された前記車輪の回転速度に基づいて前記車輪速度センサの異常を検出する異常検出手段を備えている。
【０００７】
ここで、異常検出手段は、例えば、各車輪にそれぞれ配設された車輪速度センサにより検出された車輪速度のうちの最小車輪速度と、最小車輪速度を除いた残りの車輪速度のうちの最小値との差が所定のしきい値より大きい場合、最小車輪速度に対応する車輪の車輪速度センサの異常を検出するように構成される。
【０００８】
本発明に係る車輪速度センサ異常検出装置の特徴は、前記車輪のタイヤのガス圧の低下を検出するガス圧低下検出手段と、前記タイヤのガス圧の低下が検出されたとき、前記異常検出手段による前記車輪速度センサの異常検出に制限を加える制限手段とを更に備えたことにある。ここにおいて、ガス圧低下検出手段は、例えば、タイヤのガス圧がその正常範囲の下限値を下回ったときにタイヤのガス圧の低下を検出するように構成される。
【０００９】
これによれば、タイヤのガス圧の低下が検出されたとき、異常検出手段による車輪速度センサの異常検出に制限が加えられる。換言すれば、車輪速度センサの異常が検出され難くなる（或いは、検出されなくなる）。従って、タイヤのガス圧の低下に起因して上述したように車輪速度センサの異常を誤検出することが抑制され得る。
【００１０】
この場合、上記本発明に係る車輪速度センサ異常検出装置は、前記車両が走行している路面が氷上路を含む所定の低摩擦係数を有する路面（以下、「低μ路面」と称呼する。）であるか否かを判定する路面判定手段と、前記車両が走行している路面が低μ路面でないと判定されたとき、前記制限手段による前記車輪速度センサの異常検出の制限を解除する制限解除手段とを更に備えることが好適である。
【００１１】
タイヤのガス圧の低下に起因してタイヤにロック傾向が発生する現象は、特に、低μ路面で発生し易い。換言すれば、タイヤのガス圧の低下に起因した車輪速度センサの異常の誤検出は、低μ路面でない比較的路面摩擦係数の大きい路面では発生し難い。従って、低μ路面でない路面では、車輪速度センサの異常検出に制限を加える必要性が低い。
【００１２】
上記構成は係る知見に基づくものである。これによれば、車輪速度センサの異常検出に不必要に制限が加えられることが防止され、車輪速度センサの異常が検出される機会の減少を抑制することができる。
【００１３】
上記本発明に係る車輪速度センサ異常検出装置においては、前記制限手段は、前記タイヤのガス圧の低下が検出されたとき、前記異常検出手段による前記車輪速度センサの異常検出を禁止するように構成されてもよい。これによれば、タイヤのガス圧の低下に起因して車輪速度センサの異常を誤検出することが確実に防止され得る。
【００１４】
また、上記本発明に係る車輪速度センサ異常検出装置においては、前記制限手段は、前記タイヤのガス圧の低下の程度が大きいほど、前記異常検出手段による前記車輪速度センサの異常検出を制限する程度を大きくするように構成されてもよい。
【００１５】
この場合、具体的には、例えば、前記異常検出手段が、前記最小車輪速度と、同最小車輪速度を除いた残りの車輪速度のうちの最小値との差が所定のしきい値より大きいときに同最小車輪速度に対応する車輪の車輪速度センサの異常を検出するように構成されている場合、前記制限手段は、前記タイヤのガス圧の低下の程度が大きいほど、前記しきい値を大きくするように構成される。
【００１６】
タイヤのガス圧の低下に起因してタイヤにロック傾向が発生する現象は、タイヤのガス圧の低下の程度が大きいほど発生し易い。換言すれば、タイヤのガス圧の低下に起因した車輪速度センサの異常の誤検出は、タイヤのガス圧の低下の程度が小さい場合、発生し難い。従って、タイヤのガス圧の低下の程度が小さい場合、車輪速度センサの異常検出に大きい制限を加える必要性が低い。
【００１７】
上記構成は係る知見に基づくものである。これによれば、車輪速度センサの異常検出に不必要に大きい制限が加えられることを防止しつつ、タイヤのガス圧の低下に起因して車輪速度センサの異常を誤検出することが抑制され得る。
【発明を実施するための最良の形態】
【００１８】
以下、本発明による車輪速度センサ異常検出装置の各実施形態について図面を参照しつつ説明する。
（第１実施形態）
図１は、本発明の第１実施形態に係る車輪速度センサ異常検出装置を含んだ車両制御装置１０を搭載した車両の概略構成を示している。この車両制御装置１０は、車輪が所定角度回転する毎にパルスを有する信号を出力する車輪速度センサ４１**と、タイヤのガス圧（タイヤ空気圧P**）を検出するガス圧センサ４２**と、路車間通信を行う路車間通信装置４３と、警報ランプ４４を備えている。
【００１９】
ここで、各種センサ等の末尾に付された「**」は、各種センサ等が何れの車輪に関するものであるかを示すために同各種センサ等の末尾に付される「fr」，「fl」等の包括表記であって、例えば、車輪速度センサ４１**は、右前輪車輪速度センサ４１fr、左前輪車輪速度センサ４１fl、右後輪車輪速度センサ４１rr、左後輪車輪速度センサ４１rlを包括的に示している。
【００２０】
車輪速度センサ４１**は、車輪と一体的に回転する外歯車状を呈した磁性体からなる回転体の外周面に所定のギャップをもって対応するように回転体の回転中心に対して固定配置された磁気ピックアップ式（コイル式）のセンサである。磁気ピックアップ式センサの異常としては、例えば、車両走行中における飛び石の衝突により前記ギャップが大きくなる異常、前記回転体の歯部の形状の異常（例えば、回転体の偏心、複数の歯部のうちの一部欠損等）が挙げられる。このような異常が発生すると、車輪速度が正常値よりも小さめに検出される傾向がある。
【００２１】
路車間通信装置４３は、車両の周囲に設置されているインフラ設備等から路面摩擦係数μ等を含む各種情報を取得できるようになっている。警報ランプ４４は、後述するように車輪速度センサ４１**の異常が検出された場合に点灯するようになっている。
【００２２】
また、車両制御装置１０は、電子制御装置５０を備えている。電子制御装置５０は、互いにバスで接続された、ＣＰＵ５１、ＣＰＵ５１が実行するルーチン（プログラム）、テーブル（ルックアップテーブル、マップ）、定数等を予め記憶したＲＯＭ５２、ＣＰＵ５１が必要に応じてデータを一時的に格納するＲＡＭ５３、電源が投入された状態でデータを格納するとともに同格納したデータを電源が遮断されている間も保持するバックアップＲＡＭ５４、及びＡＤコンバータを含むインターフェース５５等からなるマイクロコンピュータである。
【００２３】
インターフェース５５は、前記センサ等４１〜４４と、有線、或いは無線により電気的に接続され、ＣＰＵ５１にセンサ等４１〜４３からの信号を供給するとともに、ＣＰＵ５１の指示に応じて警報ランプ４４に点灯信号を送出するようになっている。
【００２４】
（実際の作動）
次に、以上のように構成された本発明に係る車輪速度センサ異常検出装置を含んだ車両制御装置１０（以下、「本装置」とも称呼する。）の実際の作動について、電子制御装置５０のＣＰＵ５１が実行するルーチン（プログラム）をフローチャートにより示した図２、及び図３を参照しながら説明する。
【００２５】
ＣＰＵ５１は、図１に示した車輪速度センサ異常判定の可否判定を行うためルーチンを所定時間の経過毎に繰り返し実行している。従って、所定のタイミングになると、ＣＰＵ５１はステップ２００から処理を開始し、ステップ２０５に進んでガス圧センサ４２**から車輪**のタイヤ空気圧P**をそれぞれ取得する。
【００２６】
次に、ＣＰＵ５１はステップ２１０に進み、空気圧が低下したタイヤに対応する車輪（以下、「空気圧低下車輪」と称呼する。）が存在するか否かを判定する。この例では、タイヤ空気圧P**がその正常範囲の下限値を下回っている車輪**を「空気圧低下車輪」と呼ぶ。
【００２７】
ＣＰＵ５１はステップ２１０にて「Ｙｅｓ」と判定する場合、ステップ２１５に進んで、路車間通信装置４３から得られる情報に基づいて現在走行している路面の路面摩擦係数μを取得する。続いて、ＣＰＵ５１はステップ２２０に進んで、現在走行している路面が氷上路を含む所定の低摩擦係数を有する路面（上記低μ路面。μが所定値よりも小さい路面）であるか否かを判定し、「Ｙｅｓ」と判定する場合、ステップ２９５に直ちに進んで本ルーチンを一旦終了する。
【００２８】
一方、ＣＰＵ５１はステップ２１０、或いはステップ２２０にて「Ｎｏ」と判定する場合、ステップ２２５に進んで図３に示した後述する車輪速度センサ異常判定を行った後、ステップ２９５に進んで本ルーチンを一旦終了する。
【００２９】
このように、空気圧低下車輪が存在していて、且つ、現在走行している路面が低μ路面である場合のみ、車輪速度センサ異常判定の実行が禁止される。換言すれば、空気圧低下車輪が存在していても現在走行している路面が低μ路面でない場合、車輪速度センサ異常判定の実行の禁止が解除される。
【００３０】
次に、図３に示した車輪速度センサ異常判定について説明する。ＣＰＵ５１はステップ２２５を経由して図３のルーチンの処理をステップ３００から開始する。即ち、ＣＰＵ５１はステップ３００からステップ３０５に進むと、車輪速度センサ４１**から得られる信号のパルス間隔に基づいて車輪速度Vw**をそれぞれ算出するとともに、車輪速度Vw**のうちの最小車輪速度Vwminと、最小車輪速度Vwminを除いた残りの３つの車輪速度Vw**のうちの最小値（以下、「第３車輪速度Vwthird」と称呼する。）をそれぞれ決定する。
【００３１】
次いで、ＣＰＵ５１はステップ３１０に進み、第３車輪速度Vwthirdと最小車輪速度Vwminの差がしきい値ΔVwthbase（一定値）よりも大きいか否かを判定し、「Ｎｏ」と判定する場合、ステップ３１５に進んでカウンタＴの値を「０」に初期化してステップ３９５に進んで本ルーチンを一旦終了する。
【００３２】
一方、ＣＰＵ５１はステップ３１０にて「Ｙｅｓ」と判定する場合、ステップ３２０に進んでカウンタＴの値を「１」だけインクリメントする。即ち、カウンタＴは、ステップ３１０の条件が成立している継続時間を表す。次いで、ＣＰＵ５１はステップ３２５に進み、カウンタＴが判定基準値Ｔrefより大きいか否かを判定し、「Ｎｏ」と判定する場合、ステップ３９５に直ちに進む。
【００３３】
ＣＰＵ５１はステップ３２５にて「Ｙｅｓ」と判定する場合、ステップ３３０に進んで警報ランプ４４に点灯信号を送出した後、ステップ３９５に進んで本ルーチンを一旦終了する。
【００３４】
このように、ステップ３１０の条件が成立している継続時間が判定基準値Ｔrefに対応する時間を超えた場合、最小車輪速度Vwminに対応する車輪**の車輪速度センサ４１**の異常が検出されて、警報ランプ４４が点灯する。
【００３５】
以上、説明したように、本発明の第１実施形態に係る車輪速度センサ異常検出装置を含んだ車両制御装置１０によれば、第３車輪速度Vwthirdと最小車輪速度Vwminの差がしきい値ΔVwthbase（一定値）よりも大きい状態が所定時間（判定基準値Ｔrefに対応する時間）継続した場合、原則的に、最小車輪速度Vwminに対応する車輪**の車輪速度センサ４１**の異常が検出される。
【００３６】
一方、空気圧低下車輪が存在していて、且つ、現在走行している路面が低μ路面である場合のみ、係る車輪速度センサの異常検出が禁止される。これにより、タイヤ空気圧の低下により発生し得る空気圧低下車輪のロック傾向に起因して空気圧低下車輪の車輪速度センサの異常を誤検出することが確実に防止され得る。加えて、タイヤ空気圧の低下による車輪速度センサの異常の誤検出が発生し難い比較的路面摩擦係数μの大きい路面では車輪速度センサの異常検出の禁止が解除されるから、車輪速度センサの異常が検出される機会の減少を抑制することができる。
【００３７】
（第２実施形態）
次に、本発明の第２実施形態に係る車輪速度センサ異常検出装置を含んだ車両制御装置について説明する。この第２実施形態は、空気圧低下車輪が存在していて、且つ、現在走行している路面が低μ路面である場合において、車輪速度センサの異常検出を禁止することに代えて、「第３車輪速度Vwthirdと最小車輪速度Vwminの差」と比較されるしきい値ΔVwthをタイヤ空気圧の低下の程度に応じて変更する点のみが上記第１実施形態と異なっている。以下、第２実施形態の実際の作動を通して係る相違点を中心に説明していく。
【００３８】
この装置のＣＰＵ５１は、第１実施形態のＣＰＵ５１が実行する図２、図３に示したルーチンに代えて、図３に示したルーチンに対応する図４にフローチャートにより示したルーチンと、図５にフローチャートにより示したルーチンを所定時間の経過毎にそれぞれ繰り返し実行する。先ず、図４のルーチンについて説明する。図４のルーチンにおいて図３のルーチンのステップと同じ処理を行うステップについては図３のルーチンのステップ番号を使用することでその説明に代える。
【００３９】
図４のルーチンは、図５のルーチンを実行するためのステップ４０５が挿入された点、及び、図３のステップ３１０に対応するステップ４１０にて「第３車輪速度Vwthirdと最小車輪速度Vwminの差」と比較される値がステップ３１０におけるしきい値Vwthbase（一定値）から図５のルーチンにて決定されるしきい値ΔVwthに変更された点のみが図３のルーチンと異なる。従って、図４のルーチンの詳細な説明は省略する。
【００４０】
次に、図５に示したルーチンについて説明する。ＣＰＵ５１は、図４のステップ４０５を経由して図５に示したしきい値ΔVwthを決定するためのルーチンの処理をステップ５００から開始する。即ち、ＣＰＵ５１はステップ５００からステップ５０５に進むと、先のステップ２０５と同様、ガス圧センサ４２**から車輪**のタイヤ空気圧P**をそれぞれ取得する。次に、ＣＰＵ５１はステップ５１０に進み、先のステップ２１０と同様、空気圧低下車輪が存在するか否かを判定する。
【００４１】
ＣＰＵ５１はステップ５１０にて「Ｙｅｓ」と判定する場合、ステップ５１５に進んで、先のステップ２１５と同様、路車間通信装置４３から得られる情報に基づいて現在走行している路面の路面摩擦係数μを取得する。続いて、ＣＰＵ５１はステップ５２０に進んで、先のステップ２２０と同様、現在走行している路面が上記低μ路面であるか否かを判定する。
【００４２】
ＣＰＵ５１はステップ５２０にて「Ｙｅｓ」と判定する場合、ステップ５２５に進んで空気圧低下車輪の空気圧低下割合Ｒ(％)を取得する。空気圧低下割合Ｒは、タイヤ空気圧の正常範囲の下限値をP0、空気圧低下車輪のタイヤ空気圧をP1とすると、下記(1)式にて定義される。
【００４３】
Ｒ＝(P0−P1)／P0  ・・・(1)
【００４４】
続いて、ＣＰＵ５１はステップ５３０に進んで、ステップ５２５にて求めた空気圧低下割合Ｒと、図６にグラフにて示した空気圧低下割合Ｒとしきい値ΔVwthとの関係を規定するテーブルMapΔVwth(Ｒ)とに基づいてしきい値ΔVwthを求めた後、ステップ５９５に進んで本ルーチンを一旦終了する。これにより、しきい値ΔVwthは、上記値ΔVwthbase以上であって、空気圧低下割合Ｒが大きいほどより大きい値に設定される。
【００４５】
一方、ＣＰＵ５１はステップ５１０、或いはステップ５２０にて「Ｎｏ」と判定する場合、ステップ５３５に進んで、しきい値ΔVwthを上記値ΔVwthbaseと等しい値に設定した後、ステップ５９５に進んで本ルーチンを一旦終了する。
【００４６】
このように、しきい値ΔVwthは、通常は、上記第１実施形態で使用されていた上記値ΔVwthbaseに固定される。一方、空気圧低下車輪が存在していて、且つ、現在走行している路面が低μ路面である場合、上記値ΔVwthbase以上であって、空気圧低下車輪の空気圧低下割合Ｒが大きいほどより大きい値に設定される。換言すれば、空気圧低下割合Ｒが大きいほど図４のステップ４１０の条件が成立し難くなるから、車輪速度センサの異常が検出され難くなる。なお、しきい値ΔVwthは、空気圧低下割合Ｒが所定値以上のとき、図４のステップ４１０の条件が実質的に成立し得ない程度に十分に大きい値（例えば、「∞」）に設定してもよい。これにより、空気圧低下割合Ｒが所定値以上のとき、車輪速度センサの異常検出が実質的に禁止される。
【００４７】
以上、説明したように、本発明の第２実施形態に係る車輪速度センサ異常検出装置を含んだ車両制御装置によれば、空気圧低下車輪が存在していて、且つ、現在走行している路面が低μ路面である場合、空気圧低下割合Ｒが大きいほど、しきい値ΔVwthが大きくされる（即ち、車輪速度センサの異常検出を制限する程度が大きくされる）。
【００４８】
従って、タイヤ空気圧の低下の程度が小さくて（空気圧低下割合Ｒが小さくて）タイヤ空気圧の低下による車輪速度センサの異常の誤検出が発生し難い場合においては車輪速度センサの異常検出に不必要に大きい制限が加えられることが防止される。加えて、タイヤ空気圧の低下の程度が大きくて（空気圧低下割合Ｒが大きくて）タイヤ空気圧の低下による車輪速度センサの異常の誤検出が発生し易い場合においては空気圧低下車輪の車輪速度センサの異常を誤検出することが確実に抑制され得る。
【００４９】
本発明は上記各実施形態に限定されることはなく、本発明の範囲内において種々の変形例を採用することができる。例えば、上記各実施形態においては、空気圧低下車輪が存在していて、且つ、現在走行している路面が低μ路面である場合にのみ、車輪速度センサの異常検出に制限を加えているが、空気圧低下車輪が存在している場合、現在走行している路面が低μ路面であるか否かにかかわらず、車輪速度センサの異常検出に制限を加えるように構成してもよい。換言すれば、図２のステップ２１５、２２０、或いは、図５のステップ５１５、５２０を削除してもよい。
【００５０】
また、上記各実施形態においては、車輪速度センサとして磁気ピックアップ式（コイル式）のセンサが採用されているが、ホール素子や磁気抵抗素子（ＭＲ素子）等の半導体磁気センサ、光センサ（光素子）等のように、センサに異常が発生すると車輪速度が正常値よりも小さめに検出される傾向があるセンサであれば何れのタイプのセンサが採用されてもよい。
【００５１】
加えて、上記各実施形態においては、車輪速度センサの異常が検出された場合に点灯する警報ランプ４４が備えられているが、空気圧低下車輪が検出された場合に点灯する警報ランプを別途設けてもよい。
【図面の簡単な説明】
【００５２】
【図１】本発明の第１実施形態に係る車輪速度センサ異常検出装置を含んだ車両制御装置を搭載した車両の概略構成図である。
【図２】図１に示したＣＰＵが実行する車輪速度センサ異常判定の可否判定を行うためのルーチンを示したフローチャートである。
【図３】図１に示したＣＰＵが実行する車輪速度センサ異常判定を行うためのルーチンを示したフローチャートである。
【図４】本発明の第２実施形態に係る車輪速度センサ異常検出装置のＣＰＵが実行する車輪速度センサ異常判定を行うためのルーチンを示したフローチャートである。
【図５】本発明の第２実施形態に係る車輪速度センサ異常検出装置のＣＰＵが実行するしきい値を決定するためのルーチンを示したフローチャートである。
【図６】本発明の第２実施形態に係る車輪速度センサ異常検出装置のＣＰＵが参照する空気圧低下割合としきい値との関係を規定するテーブルを示したグラフである。
【符号の説明】
【００５３】
１０…車両制御装置、４１**…車輪速度センサ、４２**…ガス圧センサ、４３…路車間通信装置、５０…電子制御装置、５１…ＣＰＵ
【図１】
2007064659.tif 000003
【図２】
2007064659.tif 000004
【図３】
2007064659.tif 000005
【図４】
2007064659.tif 000006
【図５】
2007064659.tif 000007
【図６】
2007064659.tif 000008